(57)【要約】      （修正有）【課題】同時充電をサポートし、外部アダプタの接続を低減し、使用困難を低減し、充電損失を低減し、充電速度を向上させ、複数の充電管理回路により各アクセスの太陽エネルギーを個別に保護し、安全性を向上させる複数の太陽エネルギー同時充電ポータブルエネルギー貯蔵装置を提供する。【解決手段】複数の太陽エネルギー同時充電ポータブルエネルギー貯蔵装置は、エネルギー貯蔵装置本体１を含み、エネルギー貯蔵装置本体１はソーラーパネル２、充電インターフェース３、充電管理回路４、電池管理システム５、電池組６を含む。各充電装置に対応する充電管理回路４を設置し、広い電圧範囲で１２〜３０Ｖの太陽光パネル２を同時に作動させ、太陽光充電電圧の不一致を解決し、２〜１０組の充電インターフェース３は複数の同時充電を可能にする。【選択図】図１
0003233386.tif 000002
【実用新案登録請求の範囲】
【請求項１】
複数の太陽エネルギー同時充電ポータブルエネルギー貯蔵装置であって、エネルギー貯蔵装置本体（1）を含み、
前記エネルギー貯蔵装置本体（1）は、ソーラーパネル（2）、充電インターフェース（3）、充電管理回路（4）、電池管理システム（5）、電池組（6）を含み、前記ソーラーパネル（2）は、充電インターフェース（3）と電気的に接続され、前記充電インターフェース（3）は充電管理回路（4）と電気的に接続され、前記充電管理回路（4）は電池管理システム（5）と電気的に接続され、前記電池管理システム（5）は電池組（6）と電気的に接続され、前記充電管理回路（4）は、1番制御MCU（41）、入力制御MOS管理（42）、入力電気容量（43）、エネルギー貯蔵インダクタンス（44）、MOS管理（45）、出力電気容量（46）、及びPWM制御チップ（48）を含み、前記1番制御MCU（41）は、PWM制御チップ（48）と電池管理システム（5）にそれぞれ電気的に接続され、前記PWM制御チップ（48）は、MOS管理（45）と電池管理システム（5）にそれぞれ電気的に接続され、前記充電インターフェース（3）は入力制御MOS管理（42）と電気的に接続され、前記入力制御MOS管理（42）は、入力電気容量（43）と電気的に接続され、前記入力電気容量（43）はエネルギー貯蔵インダクタンス（44）と電気的に接続され、前記エネルギー貯蔵インダクタンス（44）はMOS管理（45）と電気的に接続され、前記MOS管理（45）は出力電気容量（46）と電気的に接続され、前記出力電気容量（46）は充電回路の出力端（47）と電気的に接続され、前記充電インターフェース（3）は、1番制御MCU（41）と電気的に接続され、前記入力制御MOS管理（42）は、1番制御MCU（41）と電気的に接続され、前記電池管理システム（5）は、2番制御MCU（51）、充電MOS（52）、出力端（53）、線形電圧安定器（54）、放電MOS（55）を含み、前記2番制御MCU（51）は、充電MOS（52）と放電MOS（55）にそれぞれ電気的に接続され、前記線形電圧安定器（54）は、2番制御MCU（51）と電気的に接続され、前記放電MOS（55）は、出力端（53）と電気的に接続されていることを特徴とする複数の太陽エネルギー同時充電ポータブルエネルギー貯蔵装置。
【請求項２】
前記充電回路の出力端（４７）は電池管理システム（５）と電気的に接続されていることを特徴とする請求項1に記載の複数の太陽エネルギー同時充電ポータブルエネルギー貯蔵装置。
【請求項３】
前記電池管理システム（５）は、それぞれPWM制御チップ（４８）および1番制御MCU（４１）と電気的に接続されていることを特徴とする請求項1に記載の複数の太陽エネルギー同時充電ポータブルエネルギー貯蔵装置。
【請求項４】
前記電池組（6）は、それぞれ放電MOS（55）および線形電圧安定器（54）と電気的に接続されていることを特徴とする請求項1に記載の複数の太陽エネルギー同時充電ポータブルエネルギー貯蔵装置。
【請求項５】
前記2番制御MCU（51）は、電池組（6）と電気的に接続されていることを特徴とする請求項1に記載の複数の太陽エネルギー同時充電ポータブルエネルギー貯蔵装置。
【請求項６】
前記充電回路の出力端（47）は、充電転送線を介して充電MOS（52）と電気的に接続されていることを特徴とする請求項1に記載の複数の太陽エネルギー同時充電ポータブルエネルギー貯蔵装置。
【請求項７】
前記ソーラーパネル（2）、充電インターフェース（3）、充電管理回路（4）はそれぞれ2〜10組設けられていることを特徴とする請求項1に記載の複数の太陽エネルギー同時充電ポータブルエネルギー貯蔵装置。
【考案の詳細な説明】
【技術分野】
【０００１】
本考案は、エネルギー貯蔵装置の技術分野に関し、具体的には、複数の太陽エネルギー同時充電ポータブルエネルギー貯蔵装置である。
【背景技術】
【０００２】
太陽エネルギーは太陽のエネルギーで、太陽エネルギーの蓄電は太陽のエネルギーを吸収して変換し、蓄電池の中に保存して、使用時は電源を入れなくても操作できる。
【０００３】
しかし、現在の市場では、ポータブルエネルギー貯蔵装置のソーラー充電インターフェースは通常単一のポートで入力であリ、いくつかは2つの充電インターフェースを持っているが、電圧が異なる2つのソーラーパネルで本エネルギー貯蔵装置を同時に充電することをサポートできない。エネルギー貯蔵装置の容量が増加するにつれて、単一のポータブルソーラーパネルはポータブルエネルギー貯蔵装置の急速充電を満足できなくなる。多くの場合、利用者は2つまたは2つ以上のソーラーパネルを並行して使用する必要があり、前記プロセスでは、Y字型の3方向（または多方向）コネクタの太陽光発電パネル並列アダプタが使用された、このような並列方式は並列に接続するソーラーパネルの電圧、方向、角度が一致する必要があり、並列するソーラーパネルの電圧不一致を低減し、長期使用すると、エネルギー貯蔵装置の寿命が短縮され、人身安全リスクが発生する。このアダプターは使用中に接続ミスがあり、充電できない現象があり、また、複数のコネクタ接続部にも接触損失があり、充電速度を低下させる。
【考案の概要】
【考案が解決しようとする課題】
【０００４】
従来の技術の不足に対して、複数の太陽エネルギー同時充電ポータブルエネルギー貯蔵装置を提供し、これにより、既存のポータブル充電装置は1つの充電インターフェースしかなく、いくつか2つの充電インターフェースがあるが、電圧が異なる2つのソーラーパネルで本エネルギー貯蔵装置を同時に充電することをサポートできないという問題を解決した。
【０００５】
以上の目的を実現するために、本考案は以下の技術的ソリューションを通じて達成される。複数の太陽エネルギー同時充電ポータブルエネルギー貯蔵装置はエネルギー貯蔵装置本体を含み、前記エネルギー貯蔵装置本体はソーラーパネル、充電インターフェース、充電管理回路、電池管理システム、電池組を含み、前記ソーラーパネルは充電インターフェースと電気的に接続され、前記充電インターフェースは充電管理回路と電気的に接続され、前記充電管理回路は電池管理システムと電気的に接続され、前記電池管理システムは電池組と電気的に接続され、前記充電管理回路は、1番制御MCU、入力制御MOS管理、入力電気容量、エネルギー貯蔵インダクタンス、MOS管理、出力電気容量、PWM制御チップを含み、前記1番制御MCUは、PWM制御チップと電池管理システムとそれぞれ電気的に接続され、前記PWM制御チップは、MOS管理システムと電池管理システムにそれぞれ電気的に接続され、前記充電インターフェースは、入力制御MOS管理と電気的に接続され、前記入力制御MOS管理は、入力電気容量と電気的に接続され、前記入力電気容量は、エネルギー貯蔵インダクタンスと電気的に接続され、 前記エネルギー貯蔵インダクタンスは、MOS管理と電気的に接続され、 前記MOS管理は出力電気容量と電気的に接続され、前記出力電気容量は充電回路の出力端と電気的に接続され、前記充電インターフェースは1番制御MCUと電気的に接続され、前記入力制御MOS管理は1番制御MCUと電気的に接続され、前記電池管理システムには、2番制御MCU、充電MOS、出力端、線形電圧安定器、放電MOSを含み、前記2番制御MCUは、充電MOSと放電MOSにそれぞれ電気的に接続され、前記線形電圧安定器は2番制御MCUと電気的に接続され、前記放電MOSは出力端と電気的に接続される。
【０００６】
好ましくは、前記充電回路の出力端は、電池管理システムと電気的に接続される。 
【０００７】
好ましくは、前記電池管理システムは、PWM制御チップおよび1番制御MCUにそれぞれ電気的に接続される。 
【０００８】
好ましくは、前記電池組は、放電ＭＯＳおよび線形電圧安定器にそれぞれ電気的に接続される。 
【０００９】
好ましくは、前記2番制御MCUは、電池組と電気的に接続される。 
【００１０】
好ましくは、前記の充電回路の出力端は、充電転送線を介して充電MOSと電気的に接続される。 
【００１１】
好ましくは、前記ソーラーパネル、充電インターフェース、および充電管理回路は、それぞれ２?１０組設けられている。
【考案の効果】
【００１２】
本実用新案は、複数の太陽エネルギー同時充電ポータブルエネルギー貯蔵装置を提供している。以下の有益な効果を備えている。
【００１３】
1.本複数の太陽エネルギー同時充電ポータブルエネルギー貯蔵装置は2?10組ソーラーパネル、2?10組充電インターフェース、2?10組充電管理回路を設置することで、各組の充電装置は対応する充電管理回路が装備されており、広い電圧範囲（12?30V）でソーラーパネルの同時動作を実現し、太陽エネルギーの充電電圧の不一致と配置方式と角度の問題を解決した、2〜10組の充電インターフェースは複数のソーラーパネル同時に本装置に充電することをサポートし、外部アダプタの接続を減少させ、使用困難度を低減し、充電損失を低減し、充電速度を向上させ、複数組の充電管理回路は、各太陽光エネルギーを個別に保護し、安全性を向上させる。同時に、充電管理回路は最大充電電流をインテリジェントに管理し、充電電圧が充電要求に適合することを考えるだけで、充電電流や充電装置の電力を考える必要がないため、製品の応用性を高め、充電電圧範囲内のすべてのソーラーパネル、アダプター、および充電器を使用して、本装置を同時に充電できる。
【図面の簡単な説明】
【００１４】
【図１】図1は、本考案全体構成図である。
【図２】図２は、本考案充電管理回路の回路原理図 である。
【図３】図３は、本考案電池管理システムの回路原理図である。
【００１５】
図：1、エネルギー貯蔵装置本体、2、ソーラーパネル、3、充電インターフェース、4、充電管理回路、41、1番制御MCU、42、入力制御MOS管理、43、入力電気容量、44、エネルギー貯蔵インダクタンス、45、MOS管理、46、出力電気容量、47、充電回路の出力端、48、PWM制御チップ、5、電池管理システム、51、2番制御MCU    52、充電MOS   53、出力端、54、線形電圧安定器、55、放電MOS、6、電池組。
【考案を実施するための形態】
【００１６】
以下、本考案の実施形態における図面を参照して、本考案の実施例における技術を明確かつ完全に説明する、説明した実施形態は、全ての実施形態ではなく、本考案の一部の実施形態にすぎないことは明らかである。本考案における実施例に基づいて、当分野の業者は、創造的な開発がないことを前提として取得される他のすべての実施形態は、本考案保護の範囲に属する。
【００１７】
図1〜3を参照してください。本実用新案は複数の太陽エネルギー同時充電ポータブルエネルギー貯蔵装置の技術案を提供する。複数の太陽エネルギー同時充電ポータブルエネルギー貯蔵装置であり、エネルギー貯蔵装置本体1を含み、エネルギー貯蔵装置本体1は、ソーラーパネル2、充電インターフェース3、充電管理回路4、電池管理システム5、電池組6を含み、ソーラーパネル2は充電インターフェース3と電気的に接続され、充電インターフェース３は、充電管理回路４と電気的に接続され、充電管理回路４は、電池管理システム５と電気的に接続され、電池管理システム5は、電池組6と電気的に接続され、充電管理回路4は、1番制御MCU41、入力制御MOS管理42、入力電気容量43、エネルギー貯蔵インダクタンス44、MOS管理45、出力電気容量46、PWM制御チップ48を含み、1番制御MCU41は、それぞれPWM制御チップ48と電池管理システム5と電気的に接続され、PWM制御チップ48は、MOS管理45と電池管理システム5にそれぞれ電気的に接続され、充電インターフェース3は入力制御MOS管理42と電気的に接続され、入力制御MOS管理42は入力電気容量43と電気的に接続され、入力電気容量43はエネルギー貯蔵インダクタンス44と電気的に接続され、エネルギー貯蔵インダクタンス44はMOS管理45と電気的に接続され、MOS管理45は出力電気容量46と電気的に接続され、出力電気容量46は充電回路の出力端47と電気的に接続され、充電インターフェース3は、1番制御MCU41と電気的に接続され、入力制御MOS管理42は、1番制御MCU 41と電気的に接続され、電池管理システム5は、2番制御MCU51、充電MOS 52、出力端53、線形電圧安定器54、放電MOS 55を含む。 2番制御MCU51は、充電MOS52と放電MOS55とそれぞれ電気的に接続され、線形電圧安定器54は、2番制御MCU51と電気的に接続され、放電MOS55は出力端53と電気的に接続される。 
【００１８】
充電回路の出力端47は、電池管理システム5と電気的に接続される。
【００１９】
電池管理システム5は、PWM制御チップ48と1番制御MCU 41とそれぞれ電気的に接続される。 
【００２０】
電池組6は、放電MOS 55および線形電圧安定器54とそれぞれ電気的に接続される。
【００２１】
2番制御MCU 51は、電池組6と電気的に接続される。 
【００２２】
充電回路の出力端４７は、充電転送線を介して充電MOS５２と電気的に接続される。
【００２３】
ソーラーパネル2、充電インターフェース3、および充電管理回路4には、それぞれ2?10組があり、ソーラーパネル2、充電インターフェース3、充電管理回路4を2?10組設置して、前記ようにして、2〜10組のソーラーパネル2をそれぞれ2〜10組の充電インターフェース3を介して本装置を同時に充電することができ、外部アダプターの接続を減らし、使用難易度を下げる、充電損失を減らし、充電速度を上げることができる。
【００２４】
業時には、2〜10組のソーラーパネル2、2〜10組の充電インターフェース3及び2〜10組の充電管理回路4の間が相互対応して接続する。充電装置の各組には充電管理回路4が装備されており、広い電圧範囲（12?30V）でソーラーパネルの同時動作を実現し、太陽エネルギーの充電電圧の不一致と配置方式と角度の問題を解決し、2〜10組の充電インターフェース3は、複数のソーラーパネル2同時に本装置を充電することをサポートし、外部アダプターの接続を減らし、使用難易度を下げる、充電損失を減らし、充電速度を上げる、複数組の充電管理回路4は、各接続の太陽光エネルギーを個別に保護し、安全性を向上させる。同時に、充電管理回路4は最大充電電流をインテリジェントに管理し、本製品を充電する時、充電電圧が充電要求に適合することを考えるだけで、充電電流や充電装置の電力を考える必要がないため、製品の応用性を高め、充電電圧範囲内のすべてのソーラーパネル、アダプター、および充電器を使用して、本装置を同時に充電できる。
【００２５】
本明細書に具体的な個別事例を応用して本発明の原理及び実施方式を説明したが、上記の実例の説明は本発明の方法及びその基本理念に対する理解を手伝うだけに用いられる。上記は本発明の好ましい実施方式のみであり、注意すべきなのは、文字表現の制限性のため，客観的に無限の具体的な構造が存在し、本技術分野の当業者にとって、本発明の原理 から逸脱しない前提において、さらにいくつかの改善、修正または変化を実施でき、さらに上記の技術的特徴を適切な方式で組み合わせることができる。これらの改善と修正、変化または組み合わせ、または改善せずに発明の構想と技術的解決手段をその他の場合に直接応用するものは、いずれも本発明の保護範囲とみなすべきである。
【図１】
0003233386.tif 000003
【図２】
0003233386.tif 000004
【図３】
0003233386.tif 000005